(57)【要約】  フロー制御装置のインサイチュ検証及び較正のためのシステム及び方法であって、フロー制御装置をフロー検証装置に接続する第１のネットワーク物理層を含む。フロー検証装置のコントローラは、第１のネットワーク物理層を通じてフロー制御装置のそれぞれと通信し、気体に特有の情報と伝達関数とをそれぞれのフロー制御装置から受け取り、それぞれのフロー制御装置のフローを検証するようにプログラムされている。フロー検証装置のコントローラは、更に、第１のネットワーク物理層を通じてフロー制御装置のそれぞれと通信し、必要であれば、フロー制御装置を較正する。フロー制御装置の検証及び較正は、好ましくは、フロー制御装置に接続された第２のネットワーク物理層に接続されたツール・コントローラを介して提供された単一のコマンドに基づいて実行される。
2007525736.tif 000002
【特許請求の範囲】
【請求項１】
フロー制御装置のインサイチュ検証及び較正のためのシステムであって、
フロー検証装置と、
前記フロー制御装置を前記フロー検証装置に接続する第１のネットワーク物理層と、
前記フロー検証装置に接続された第２のネットワーク物理層と、
を備えており、前記フロー検証装置のコントローラは、前記第１のネットワーク物理層上の前記フロー制御装置を、前記第２のネットワーク物理層を通じて提供される単一のコマンドに基づいて検証し、必要であれば、較正するようにプログラムされていることを特徴とするシステム。
【請求項２】
請求項１記載のシステムにおいて、前記第１のネットワーク物理層は、EtherNet/IPネットワーク物理層を含むことを特徴とするシステム。
【請求項３】
請求項１記載のシステムにおいて、前記第２のネットワーク物理層は、DeviceNetTMデバイスネット・ネットワーク物理層を含むことを特徴とするシステム。
【請求項４】
請求項１記載のシステムにおいて、前記フロー検証装置は上昇率フロー検証装置であることを特徴とするシステム。
【請求項５】
請求項４記載のシステムにおいて、前記フロー検証装置はGBRORTMインサイチュ・フロー検証装置であることを特徴とするシステム。
【請求項６】
請求項４記載のシステムにおいて、前記フロー検証装置はTru-FloTMインサイチュ・フロー検証装置であることを特徴とするシステム。
【請求項７】
請求項１記載のシステムにおいて、前記第１のネットワーク物理層に接続されたフロー制御装置を更に備えていることを特徴とするシステム。
【請求項８】
請求項７記載のシステムにおいて、前記フロー制御装置は圧力非感知型の質量流量コントローラを備えていることを特徴とするシステム。
【請求項９】
請求項１記載のシステムにおいて、前記第１のネットワーク物理層に接続されたハブを更に備えていることを特徴とするシステム。
【請求項１０】
請求項９記載のシステムにおいて、前記ハブはBlueBoxTM通信マネジャを含むことを特徴とするシステム。
【請求項１１】
フロー制御装置のインサイチュ検証及び較正のための方法であって、
フロー検証装置を第１のネットワーク物理層を介して前記フロー制御装置に接続するステップと、
第２のネットワーク物理層を前記フロー検証装置に接続するステップと、
前記フロー検証装置のコントローラを、前記第１のネットワーク物理層上の前記フロー制御装置を前記第２のネットワーク物理層を通じて提供される単一のコマンドに基づいて検証し、必要であれば、較正するようにプログラムするステップと、
を含むことを特徴とする方法。
【請求項１２】
請求項１１記載の方法において、前記第１のネットワーク物理層は、EtherNet/IPネットワーク物理層を含むことを特徴とする方法。
【請求項１３】
請求項１１記載の方法において、前記第２のネットワーク物理層は、DeviceNetTMネットワーク物理層を含むことを特徴とする方法。
【請求項１４】
請求項１１記載の方法において、前記フロー検証装置は上昇率フロー検証装置であることを特徴とする方法。
【請求項１５】
請求項１４記載の方法において、前記フロー検証装置はGBRORTMインサイチュ・フロー検証装置であることを特徴とする方法。
【請求項１６】
請求項１４記載の方法において、前記フロー検証装置はTru-FloTMインサイチュ・フロー検証装置であることを特徴とする方法。
【請求項１７】
請求項１１記載の方法において、前記フロー制御装置は圧力非感知型の質量流量コントローラを備えていることを特徴とする方法。
【請求項１８】
請求項１１記載の方法において、ハブを前記第１のネットワーク物理層に接続するステップを更に含むことを特徴とする方法。
【請求項１９】
請求項１８記載の方法において、前記ハブはBlueBoxTM通信マネジャを含むことを特徴とする方法。
【請求項２０】
請求項１１記載の方法において、前記フロー検証装置は、気体マニフォルドを介して前記フロー制御装置と流体通信関係に配置されることを特徴とする方法。
【発明の詳細な説明】
【技術分野】
【０００１】
本発明は、広くは半導体処理装置に関し、更に詳しくは、汚染がなく正確に計測された量の処理及びパージ・ガスを半導体処理チャンバまで搬送するシステム及び方法に関する。更により詳しくは、本発明は、流量コントローラ装置のインサイチュ検認及び較正のためのシステム及び方法に関する。
【背景技術】
【０００２】
ひとつの半導体デバイスの製造には、多くは１ダースほどの気体を処理チャンバまで注意深く同期させ正確に測定して搬送することが必要になりうる。製造プロセスでは様々な方法が用いられ、半導体デバイスが洗浄、研磨、酸化、マスキング、エッチング、ドーピング、メタライゼーションなど、多くの別々の処理ステップが必要となりうる。用いられるステップ、それらのステップの特定のシーケンス、そして用いられる材料がすべて、特定のデバイスの製造に貢献する。
【０００３】
従って、ウエハ製造設備が作られるときは、化学的蒸着、プラズマ蒸着、プラズマ・エッチング、スパッタリング及びそれ以外の類似の気体製造プロセスが行われるエリアを含むように作られるのが通常である。処理用のツールは、化学的蒸着の反応装置でも、真空スパッタリング・マシンでも、プラズマ・エッチング装置でも、プラズマ・エンハンス化学的蒸着装置でも、様々なプロセス・ガスが供給されなければならない。純粋な気体が、汚染なく正確に計量された量で、これらのツールに供給されなければならない。
【０００４】
典型的なウエハ製造工場では、気体はタンクに貯蔵され、このタンクは、パイピングやコンジットを経由して気体箱に接続される。気体箱は、汚染のなく正確に計量された量の純粋な不活性気体又は反応性の気体を、製造工場のタンクからプロセス・ツールに搬送する。気体箱又は気体計測システムは、弁などの気体計量ユニットを有する複数の気体経路と、圧力レギュレータ及びトランスデューサと、質量流量コントローラと、フィルタ／ピュリファイアとを含む。それぞれの気体経路は、別個の気体源に接続するためのそれ自身のインレットを有しており、すべての気体経路は、処理ツールに接続するための気体マニフォルドなどのただ１つのアウトレットに収束する。
【０００５】
例えば質量流量コントローラの精度を試験したり較正したりする場合など、測定された量の気体を搬送する際には、気体の搬送に用いる気体搬送システムにおける気体流量の状態の正確な測定値を得ることができるのが望ましいし、多くの場合必要である。これを達成する方法のひとつに、容積が機知のチャンバの中にある気体の温度と圧力との変化率を測定し、これらの測定された値から質量流量を計算する、という方法がある。このいわゆる「圧力上昇率」又は「上昇率（ＲＯＲ）」法によると、気体フローは、質量流量計などの被験装置（ＤＵＴ）を通過して、真空化され体積が較正されたチャンバの中へ、測定された時間間隔Δｔの間、導かれる。チャンバの中での気体の圧力変化率（ΔＰ）と温度変化率（ΔＴ）が測定され、標準温度（Ｔ０）と標準圧力（Ｐ０）に訂正される。ここで用いられる「標準」という用語は、２７３．１５Ｋの「絶対」温度及び１気圧の「絶対」圧力として通常定義された「標準状態」を意味する。気体流率は、既知の体積における圧力の時間変化率（ΔＰ／Δｔ）と温度の時間変化率（ΔＴ／Δｔ）とから計算することができる。
【０００６】
多くの気体搬送システムは、実質的に理想気体として振る舞う気体を用いる。換言すると、そのような気体の振る舞いは、ＰＶ＝ｎＲＴとして表現される理想気体法則によって正確な予言が可能であり、その法則に従って正確なモデル化が可能である。ただし、Ｐは圧力、Ｖは体積、ｎは気体のモル数、Ｒは普遍気体定数、Ｔは絶対温度である。固定された体積の中にあるほぼ理想的な気体の時間経過に伴う圧力変化と温度変化との関係は、気体とは関係なく一定である。従って、この理想気体法則の関係は、ｎすなわちチャンバの中の気体のモル数である質量を決定するのに用いることができる。気体が理想気体とは異なる振る舞いをするような状況では、補正関数を用いて、圧力及び温度の時間変化の測定値をより正確にすることができる。
【０００７】
フローを検証するのにＲＯＲ法を用いる装置もある。例えば、本発明の譲受人に譲渡されているHinkleへの米国特許第５，６８４，２４５号には、ＲＯＲ法を用いた気体搬送システムにおいて気体の質量流量を測定する装置及び方法を開示し、権利請求している。本発明の譲受人である米国マサチューセッツ州アンドーバ（Andover）所在のＭＫＳインスツルメント社もまた、Tru-FloTMインサイチュ質量流量検証装置、GBRORTM（気体箱上昇率）インサイチュ質量流量検証装置など、ＲＯＲフロー検証装置を提供している。
【０００８】
依然として望まれるのは、気体計量システムにおけるフロー制御装置を検証し較正する新規で改良されたシステム及び方法である。好ましくは、この新規で改良されたシステム及び方法は、ＲＯＲフロー検証装置を用いる。更に、この新規で改良されたシステム及び方法では、フロー制御装置のインサイチュ式の検証及び較正を提供する際に、その検証及び較正のためにフロー制御装置を気体計量システムから取り外すことを要しないのが好ましい。
【発明の開示】
【０００９】
本発明の実施例は、フロー制御装置をフロー検証装置に接続する第１のネットワーク物理層を含むフロー制御装置のインサイチュ検証及び較正のためのシステム及び方法を提供する。フロー検証装置のコントローラは、第１のネットワーク物理層を通じてフロー制御装置のそれぞれと通信し、気体に特有の情報と伝達関数とをそれぞれのフロー制御装置から受け取り、それぞれのフロー制御装置のフローを検証するようにプログラムされている。フロー検証装置のコントローラは、更に、第１のネットワーク物理層を通じてフロー制御装置のそれぞれと通信し、必要であれば、フロー制御装置を較正するようにプログラムされている。フロー制御装置の検証及び較正は、好ましくは、フロー制御装置に接続された第２のネットワーク物理層に接続されたツール・コントローラを介して提供された単一のコマンドに基づいて実行される。
【００１０】
本発明のこれらの及びそれ以外の特徴及び効果は、添付の図面に図解されている公的実施例に関する以下の詳細な説明を読めば、この技術分野の当業者にはより明らかになるはずである。
【発明を実施するための最良の形態】
【００１１】
図４を参照すると、この開示には、質量流量コントローラ（ＭＦＣ）などの被験装置（ＤＵＴ）を通過する流体フローのインサイチュ検証及び較正のためのシステム１００及び方法が提供されている。システム１００及び方法は、特に、汚染がなく正確に計量されたプロセス及びパージ気体を半導体プロセス・チャンバまで搬送するための気体計量システムと共に用いられるためのものである。ある実施例では、この新規で改良されたシステム１００及び方法は、上昇率（ＲＯＲ）流量検証計を用いる。この新規で改良されたシステム１００及び方法は、ＭＦＣのインサイチュ検証及び較正を提供するのであるが、この検証及び較正はＭＦＣを気体計量システムから取り外すことを必要としないのである。
【００１２】
最初に図１及び図２を参照すると、従来技術によるフロー検証デバイス１０が示されている。図１では、フロー検証デバイス１０は、気体マニフォルド５２と気体計量システム５０の真空ポンプ５４との間に接続されているのが示されている。気体計量システム５０は、また、気体マニフォルド５２に接続されたライン５８を通過する気体フローを制御する複数の質量流量コントローラ（ＭＦＣ）５６を含む。図１の実施例では、システム５０は、気体マニフォルド５２に接続されＭＦＣ５６を有する１２のライン５８を含む。しかし、システム５０は、希望に応じて、１２よりも多い又は少ないライン５８を含むことができる。
【００１３】
必要ではないのであるが、好ましくは、ＭＦＣ５６は、それぞれが、米国マサチューセッツ州アンドーバー（Andover）所在のＭＫＳインスツルメンツ社（http://www.mksinst.com）から入手可能な圧力不感知型のＭＦＣ（ＰｉＭＦＣ）を含む。ＰｉＭＦＣは、機能及び性能上の技術的改良を含み、半導体及び高純度の薄膜への応用分野でのユーザがツールのスループットを向上させシステム全体のコストを縮小させることを助ける。特に、ＰｉＭＦＣは、高度な物理的設計とデジタル制御アルゴリズムとを通じて、上流及び下流への圧力の混乱に不感知性であるリアルタイムの正確なフロー制御を提供する。ＰｉＭＦＣによると、プロセス気体フローのリアルタイム制御が可能になり、精度及び反復可能性が従来型のデジタル・ベースのＭＦＣと比較して著しく改善され、結果としてよりよいチャンバ・マッチングを生じさせる。圧力不感知型の質量流量コントローラは、また、同時継続中の”Apparatus and Method for Pressure Fluctuation Insensitive Mass Flow Control”と題する２００２年６月４日に出願され本発明の譲受人に譲渡されている米国特許出願第１０／１７８，７２１号にも開示がある。この米国出願は、この出願において援用する。
【００１４】
フロー検証装置１０は、ＭＦＣによって生じる流率を検証するのに用いられる。図２に示されているように、装置１０は、所定の体積を有する容器２０と、気体マニフォルドと容器２０との間のフローを制御する「上り（アップストリーム）」すなわち第１の弁２２と、容器から真空ポンプ１４へのフローを制御する「下り（ダウンストリーム）」すなわち第２の弁２４と、容器２０の体積と通信する容器圧力測定装置２６とを含む。装置１０は、更に、バイパス弁２８も含む。
【００１５】
フロー検証装置１０のコントローラ３０は、フロー検証の上昇率法を用いるが、この方法は、縦軸が圧力（Ｐ）を示し横軸が時間（ｔ）を示す図３に図解されている。一般に、コントローラ３０は、電子メモリとクロックとを含むコンピュータ・プロセッサである。コントローラ３０は、動作の際には、最初にバイパス弁２８を閉じ第１及び第２の弁２２、２４を開いてフローがＭＦＣ１２からバイパスされ容器２０を通過するようにプログラムされているのが一般的である。更に、コントローラ３０は、バイパスされたフローを安定化させる初期期間の後では、第２の弁２４を閉じて容器２０からのフローを停止させるようにプログラムされる。閉じられた容器２０にＭＦＣ１２からの気体が満ちるにつれて、コントローラ３０は、圧力測定装置２６からの容器圧力の測定値を受け取り、気体フローに起因する容器圧力の変化率を決定する。次に、コントローラは、容器圧力の変化率と容器２０の既知の体積とを用いて、ＭＦＣ１２によって提供された実際のフローを決定する。図３のグラフは、容器２０の既知の体積の中における圧力の時間変化率（ΔＰ／Δｔ）からどのようにしてコントローラ３０が気体流率を計算することができるのかを示している。
【００１６】
フローの測定がなされた後で、図２に示されている第１の弁２２は閉じられ、第２の弁２４が開かれて、真空ポンプ１４を用いて容器２０が真空化される。真空化の後で、第２の弁２４が閉じられ、バイパス弁２８が開かれて、ＭＦＣ１２とプロセス・チャンバ１８との間の正常なフローが許容されることになる。
【００１７】
フロー検証装置１０は、例えば、米国マサチューセッツ州アンドーバー（Andover）所在のＭＫＳインスツルメンツ社（http://www.mksinst.com）から入手可能なGBRORTMインサイチュ・フロー検証装置又はTru-FloTMインサイチュ・フロー検証装置を含みうる。GBRORTMは、モジュラ気体経路又はスティックであり、弁と、圧力容器と、圧力トランスデューサと、マニフォルドの上に搭載されたコントローラとを含む。GBRORTM及びTru-FloTMの両方のフロー検証装置は、共に、プロセス透過的である。すなわち、気体搬送システムの通常の処理ステップの間に動作し、よって、処理ツールのダウン時間を短縮する。圧力測定装置２６は、例えば、やはりMKSインスツルメント社から入手可能なバラトロン（Baratron）（登録商標）ブランドの圧力トランスデューサを含むことがあり得る。
【００１８】
図１を参照すると、MFC１２のコンピュータ・コントローラ（図示せず）とフロー検証装置１０のコンピュータ・コントローラ３０とは、ネットワーク物理層７０を介してツール・コントロール６０に接続されている。ある実施例では、このネットワーク物理層は、デバイスネット（DeviceNetTM）ネットワーク物理層７０で構成される。DeviceNetTMは、産業装置を配線し設定する費用と時間とを縮小させる単純なネットワーク上のソリューションであり、複数のベンダに対して「同様の」コンポーネントの相互交換可能性を提供する。DeviceNetTMは、オープン・ネットワーク・スタンダードであり、公開された仕様とプロトコルとを有する。ベンダは、DeviceNetTMを用いて装置をシステムに接続するのに、ハードウェア、ソフトウェア又はライセンスを購入する必要がない。DeviceNetTMの仕様は、オープンDeviceNetTMベンダ・アソシエーション（www.odva.org）から入手することができる。DeviceNetTMの物理層７０は、より複雑な装置の相互接続可能性を与えながら、単純な装置の相互交換を可能にする。DeviceNetTMの物理層７０は、ブロードキャスト指向の通信プロトコルであるコントローラ・エリア・ネットワーク（ＣＡＮ）に基づく。１９９６年には、１千万を超えるＣＡＮチップが製造された。主なＣＡＮチップの供給企業は４社あり、インテル、モトローラ、フィリップス及び日立である。DeviceNetTMの物理層７０の主な目的は２つであり、１）低レベル装置と関連付けられた制御指向情報の移動、２）コンフィギュレーションなどの制御されつつあるシステムに間接的に関係するそれ以外の情報の移動、である。
【００１９】
ＭＦＣ５６の１つを通過するフローを検証するために、ツール・コントローラ６０は、フロー検証装置１０とＭＦＣ５６の中の選択された１つとをDeviceNetTMの物理層７０を介して制御し、よって、選択されたＭＦＣ５６の流率が検証されるようにする。
【００２０】
次に図４を参照すると、本発明の新規で改良されたシステム１００が、ＭＦＣ５６のインサイチュ検証及び較正を提供するのであるが、検証及び較正によってＭＦＣ５６を気体計量システム５０から取り外すことが要求されない。システム１００は、ＭＦＣ５６のそれぞれとフロー検証装置１０とをハブ１０４に接続する第１のネットワーク物理層１０４を含む。そして、ハブ１０４は、接続性ツール１０６に接続することができる。
【００２１】
フロー検証装置１０のコンピュータ・コントローラ３０は、ＭＦＣ５６のそれぞれと自動的に通信し、第１のネットワーク物理層１０４上のＭＦＣ５６のそれぞれのフローを検証し、必要であれば較正するように、新たにプログラムされている。特に、すべての気体特有の情報が、（圧力不感知性を提供する）伝達関数と共に、ＭＦＣ５６のそれぞれからのフロー検証装置１０のコンピュータ・コントローラ３０から求められ、先に述べたＲＯＲの技術を用いてＭＦＣ５６のそれぞれの流率の精度を検証するように処理される。この通信は、フロー検証装置１０とＭＦＣ５６との間で、第１のネットワーク物理層１０４を介してなされる。
【００２２】
インサイチュフロー検証と較正とは、「第２の」物理層７０上のツール制御コントローラ６０からの単一のコマンドによって開始される。示されている実施例では、第２のネットワーク物理層は、DeviceNetTMのネットワーク物理層７０で構成される。ただし、それ以外のプロトコルを用いることも可能である。ある動作モードでは、フロー検証データは集められ、DeviceNetTMのネットワーク物理層７０を介してツール・コントローラに送られる。別の動作モードでは、フロー検証装置１０のコンピュータ・コントローラ３０は、ツール・コントローラ７０から単一のコマンドを受け取り、検査対象のＭＦＣ５６に問い合わせを行い、フローを検証し、必要であればＭＦＣを再度較正し、較正パラメータをＭＦＣの中にアップロードする。このシーケンスは、気体計量システム５０の中のすべてのＭＦＣ５６に対し、求めに応じる頻度で継続されうる。すべての継続に必要な較正データは、それぞれのＭＦＣ５６に存在することになる。
【００２３】
本発明のある実施例では、第１のネットワーク物理層は、EtherNet/IPネットワーク物理層１０４で構成される。EtherNet/IPネットワーク物理層は、商用の既製のイーサネット（登録商標）通信チップと物理媒体とを利用する産業上のネットワーク標準である。ＩＰとは「産業プロトコル（industrial protocol）」の意味であり、このネットワークを区別するものである。産業上のイーサネット（登録商標）群の中の多くの選択肢とは異なり、EtherNet/IPネットワークは、アプリケーション層でのオープン・プロトコルを用いる。更に、複数のベンダ又は組織がEtherNet/IPを支持しており、EtherNet/IPは、コントロールネット・インタナショナル（ControlNet International=CI）、インダストリアル・イーサネット・アソシエーション（Industrial Ethernet Association=IEA）、オープン・デバイスネット・ベンダ・アソシエーション（Open DeviceNetTM Vendor Association=ODVA）という３つのネットワーク組織によって支持されている唯一の標準である。
【００２４】
EtherNet/IPは、自動化の目的のためのオープンで産業的に証明されたプロトコルを備えた商用で既製のイーサネット（登録商標）を拡張するプロトコル・スタックである。同時に、ＨＴＴＰ、ＦＴＰ、ＳＮＭＰなどの一般的なオフィス・プロトコルをサポートする。ＴＣＰ／ＩＰの組に基づき、EtherNet/IPは、情報メッセージングにはＴＣＰを用い、Ｉ／ＯメッセージングにはＵＤＰを用いる。TCP/IP及びUDP/IPの両方を用いてデータをカプセル化することにより、これは、リアルタイムのＩ／Ｏ制御を提供する最初の産業的なイーサネット・ネットワークである。
【００２５】
DeviceNetTMへのコンパニオン・ネットワークであるEtherNet/IPは、DeviceNetTMと同じオープンでロバストなアプリケーション層プロトコルであるコントロール及び情報プロトコル（ＣＩＰ）を用いる。結果的に、このネットワークは、また、デバイス・プロファイルとオブジェクト・ライブラリとを共有する。これにより、EtherNet/IPの開発者は、複数のベンダからのデバイスの間でのプラグ・アンド・プレイ相互動作可能性のためにDeviceNetTMのオブジェクト及びプロファイルを用いることが可能になる。DeviceNetTMとEtherNet/IPとが結合されると、センサからエンタプライズ・ソフトウェアまでの透明性が促進される。
【００２６】
本発明の別の実施例によると、ハブは、更に、ToolWebTMに接続される。ToolWebTMは、ＭＫＳインスツルメンツ社から入手可能なソフトウェア「接続性」ソリューションであり、これにより、EtherNet/IPネットワークを介してプロセス・ツール上のすべてのプログラムへの接続が可能になる。BlueBoxTMは、ＭＫＳインスツルメンツ社から入手可能でありデータ収集とルーティングとのためにToolWebTMをサポートすることができるハードウェア通信マネジャである。複数のツールを、EtherNet/IPネットワーク物理層１０４を介してToolWebTMに接続することが可能であり、収集されたデータを、ハブを介してEtherNet/IPネットワーク物理層１０４に接続された第三者のデータベースまで公表することができる。一般に、ToolWebTMは、BlueBoxTM通信マネジャなどのハードウェアと、電子診断の目的のためのデータ・モニタリング及び収集を可能にするソフトウェアとを含むシステムである。
【００２７】
以上で本開示の特定の実施例について図解し説明したが、当業者であれば、多くの変更や修正が可能であろう。従って、冒頭の特許請求の範囲は、この開示の精神及び範囲の範囲に含まれるすべての変更や修正を含むことが意図されている。
【図面の簡単な説明】
【００２８】
【図１】従来技術による気体計量システムの概略的な図解であり、気体マニフォルドに接続された質量流量コントローラと、気体マニフォルドと真空ポンプとの間に接続された質量流量検証装置とを含む。
【図２】図１の質量流量検証装置の例示的なコンポーネントの概略的な図解である。
【図３】圧力と時間とを軸にとり従来技術による方法を図解しているグラフであり、質量流量コントローラの１つの流率を検証している。なお、この検証は、図１の質量流量検証装置によって実行される
【図４】質量流量コントローラのインサイチュ検証及び較正のための本発明によるシステムの実施例を含む気体計量システムの概略的な図解である。なお、複数の図面にわたり、同じ参照番号は、対応するコンポーネント及びユニットを意味している。
【図１】
2007525736.tif 000003
【図２】
2007525736.tif 000004
【図３】
2007525736.tif 000005
【図４】
2007525736.tif 000006
【手続補正書】
【提出日】平成18年3月3日(2006.3.3)
【手続補正１】
【補正対象書類名】図面
【補正対象項目名】全図
【補正方法】変更
【補正の内容】
【図１】
2007525736.tif 000007
【図２】
2007525736.tif 000008
【図３】
2007525736.tif 000009
【図４】
2007525736.tif 000010
【国際調査報告】
2007525736.tif 000011
2007525736.tif 000012